(57)【特許請求の範囲】
【請求項１】
処理拠点に搬入されるリサイクル対象商品群の管理を行う入力手段と、記憶手段と、演算手段とを備えるリサイクル処理装置であって、
前記入力手段は、
前記リサイクル対象商品群をなすリサイクル対象商品ごとの品目とその品目別台数とを入力する第１の入力部と、
前記リサイクル対象商品群の重量を測定して得る搬入総重量を入力する第２の入力部と、
を有し、
前記記憶手段は、
予め前記リサイクル対象商品ごとに設定する第１品目別標準重量を記憶する第１の記憶部と、
前記演算手段が前記第１品目別標準重量と前記品目別台数とを乗じて算出する品目別標準総重量を記憶する第２の記憶部と、
前記演算手段が前記リサイクル対象商品群の全品目にわたって前記品目別標準総重量を加算して得る想定搬入総重量を記憶する第３の記憶部と、
前記演算手段が前記搬入総重量を前記想定搬入総重量で除して算出する重量補正係数を記憶する第４の記憶部と、
前記演算手段が前記品目別標準総重量と前記重量補正係数とを乗じて算出する品目別搬入総重量を記憶する第５の記憶部と、
を有する、
リサイクル処理装置。
【請求項２】
さらに、
前記入力手段は、
前記リサイクル対象商品を用途別または材料別に選別回収して回収物となし、前記品目ごとに前記回収物の重量を測定して得る回収重量を入力する第３の入力部と、
を有し、
前記記憶手段は、
前記第３の入力部を介して得る前記回収重量を記憶する第６の記憶部と、
前記演算手段が前記回収重量を前記品目別搬入総重量で除して算出する回収率を記憶する第７の記憶部と、
を有する、
請求項１に記載のリサイクル処理装置。
【請求項３】
前記第１の記憶部は、前記演算手段が前記第１品目別標準重量と前記重量補正係数とを乗じて算出する第２品目別標準重量を前記第１品目別標準重量と置換して記憶する請求項１に記載のリサイクル処理装置。
【請求項４】
リサイクル対象商品群をなすリサイクル対象商品ごとの品目とその品目別台数とを入力するとともに、前記リサイクル対象商品群の重量を測定して得る搬入総重量を入力する入力手段と、
予め前記リサイクル対象商品ごとに設定する第１品目別標準重量を記憶する記憶手段と、
演算手段と、
を備えたリサイクル処理装置を用いて、処理拠点に搬入される前記リサイクル対象商品群のリサイクル処理を管理するリサイクル処理装置の動作方法であって、
前記演算手段が、
前記第１品目別標準重量と前記品目別台数とを乗じて品目別標準総重量を算出する工程と、
前記リサイクル対象商品群の全品目にわたって前記品目別標準総重量を加算して想定搬入総重量を得る工程と、
前記搬入総重量を前記想定搬入総重量で除して重量補正係数を算出する工程と、
前記品目別標準総重量と前記重量補正係数とを乗じて品目別搬入総重量を算出する工程と、
を実行する、
リサイクル処理装置の動作方法。
【請求項５】
さらに、
前記リサイクル対象商品を用途別または材料別に選別回収して回収物となし、前記品目ごとに前記回収物の重量を測定して得る回収重量を入力する入力手段と、
前記回収重量を記憶する記憶手段とを備え、
前記演算手段が、前記回収重量を前記品目別搬入総重量で除して回収率を算出する工程を実行する、
請求項４に記載のリサイクル処理装置の動作方法。
【請求項６】
前記演算手段が、
前記第１品目別標準重量と前記重量補正係数とを乗じて算出する第２品目別標準重量を前記第１品目別標準重量に代えて記憶する工程を実行する請求項４に記載のリサイクル処理装置の動作方法。
【発明の詳細な説明】
【０００１】
【発明の属する技術分野】
本発明は、廃棄物、例えば不要になった洗濯機、冷蔵庫、ＴＶ受像機、エアコンなど大型の家電製品等をリサイクル処理する際に必要なリサイクル処理装置およびそのリサイクル処理装置の動作方法に関するものである。
【０００２】
【従来の技術】
従来、大型家電製品などの廃棄物（以下廃家電品という）は、自治体ルートまたは販売店ルートで回収され、回収業者がまとめて廃棄物処理工場へ搬入し、処理されている。
【０００３】
なお、２００１年から家電等再商品化法（通常、家電リサイクル法と呼ばれている）の実施が決められており、家電製品に関するリサイクル、無公害化が家電メーカーに義務づけられることになる。そのために、家電メーカーには、回収した廃家電品について、（イ）自らが再利用するものについて部品または材料の名称、その重量、再利用した製品名、（ロ）有償または無償で譲渡したものについて部品または材料の名称、その重量、譲渡先およびその住所、代表者名、（ハ）自らが熱回収するものについて部品または材料の名称、その重量、（ニ）熱回収するものであって有償または無償で譲渡するものについて部品または材料の名称、その重量、譲渡先およびその住所、代表者名、（ホ）処分するものについて部品または材料の名称、その重量、等々を記録し、さらには搬入された品目別の重量に対する割合（回収率）を算出し記録したリサイクル帳簿を整備しておくことが要求されている。
【０００４】
以上の背景のもとに、多くのシステム開発、技術開発がなされている。例えば、特開２０００−１２６７４９号公報には家電リサイクル法で要求されるリサイクル処理対象物の入着から出荷までの処理手段を管理するための管理システムが、特開平１１−２４４８３６号公報には目標回収率と実回収率の差を比較して処理手段を管理するシステムが、また特開平１１−１５１４８１号公報には廃家電品からのリサイクル部品または材料を回収する回収装置が提案されている。
【０００５】
以下に従来のリサイクル処理管理システムについて、図４を参照しながら説明する。
【０００６】
図４は従来のリサイクル処理管理システムおよびリサイクル処理装置を説明する図である。図４に示すように、消費者５１から排出された廃家電品は販売店５２、または自治体５３によって回収される。これら回収された廃家電品は通常分類されることなく、混載状態で回収業者を通して処理プラント５４へ搬入される。なお家電リサイクル法では、当初、冷蔵庫、エアコン、洗濯機、ＴＶ受像機の４品目が主要廃家電品として指定されている。これらの４品目が混載状態で処理プラントへ搬入されることになる。ただし搬入時に添付される伝票には、品目と品目ごとの台数が記載されている。
【０００７】
次に処理プラントにおける代表的な廃家電品の処理方法について説明する。
【０００８】
符号５５で示す処理Ａでは、混載状態の廃家電品をまず品目別分類手段５７で品目別に分類した後、品目別重量測定手段５８で品目別重量測定を行う。この場合は、すでに品目別に分類されているので、重量測定後に品目別の処理工程にまとめて送り込むことになる。次に分解手段５９において分解する。この段階で第１次回収品６５として、例えばガラス板、ブラウン管、冷蔵庫やエアコンのコンプレッサーやフロンガスなどが取り出される。第１次回収品６５については重量測定手段６６によって部品別・用途別等に分けて重量を測定した後、符号６７に示す保管または出荷になるが、同時に品目との対応をつけた状態でそのデータをデータ処理手段６８へ送る。
【０００９】
第１次回収品６５を取り除いた残りは金属、プラスチック、その他であり、破砕手段６０へ送られ、粉末状に破砕される。
【００１０】
破砕品は選別手段６１で、鉄、銅、アルミ、再生可能プラスチック、廃棄物等に選別される。用途別、材料別等に分類された材料は、重量測定手段６２で重量測定がなされる。これらの結果は、データ処理手段６９へ送られ、リサイクル率、その他が算出される。
【００１１】
また符号５６で示す処理Ｂでは、まず混載状態の廃家電品を順不同で処理工程へ送り込むことになる。したがって、個別重量測定手段６４によって単品ごとにその重量測定を行った後、品目別の処理工程へ送り込む作業を単体単位で行うことになる。単体の重量はそれぞれ品目別に集計され、この段階で品目別重量が把握できることになる。以下の処理に関しては、符号５５で示す処理Ａについて説明したのと同じである。
【００１２】
【発明が解決しようとする課題】
しかしながら上記の従来のシステムでは、回収された廃家電品について、品目別に仕分けしてから品目別重量を測定するか、または処理手段の先頭で個別重量を測定し、それらを集計して品目別重量を求めており、いずれの方法をとるにせよ、複数回の重量測定をしなければならず、測定や管理のための工数が増加するとともに、重量測定装置を数多く準備する必要があるという課題を有していた。
【００１３】
本発明は上記の従来の課題を解決するもので、処理プラントへ搬入された廃家電品について、搬入総重量を混載状態で一括測定し、予め設定しておいた品目別の１台当たりの品目別標準重量をもとに、搬入総重量を個々の品目別重量に按分するリサイクル処理装置およびその処理装置の動作方法を提供することを目的とする。
【００１４】
【課題を解決するための手段】
この目的を達成するために本発明のリサイクル処理装置は、入力手段と、記憶手段と、演算手段とを備えるものであり、入力手段は、リサイクル対象商品群をなすリサイクル対象商品ごとの品目とその品目別台数とを入力する第１の入力部と、リサイクル対象商品群の重量を測定して得る搬入総重量を入力する第２の入力部と、を有し、記憶手段は、予めリサイクル対象商品ごとに設定する第１品目別標準重量を記憶する第１の記憶部と、演算手段が第１品目別標準重量と品目別台数とを乗じて算出する品目別標準総重量を記憶する第２の記憶部と、演算手段がリサイクル対象商品群の全品目にわたって品目別標準総重量を加算して得る想定搬入総重量を記憶する第３の記憶部と、演算手段が搬入総重量を想定搬入総重量で除して算出する重量補正係数を記憶する第４の記憶部と、演算手段が品目別標準総重量と重量補正係数とを乗じて算出する品目別搬入総重量を記憶する第５の記憶部と、を有し、搬入された混載状態の廃家電品の搬入総重量を混載状態で１回測定するだけで搬入総重量を各品目別に按分することができる。すなわち、重量測定を１回で済ませることができ、またその重量測定も一般に行われている輸送用トラックに積載された状態で行うことができるため作業効率を大幅に向上させることができる。
【００１５】
また本発明のリサイクル処理装置の動作方法では、上記のリサイクル処理装置を採用することにより搬入されたリサイクル対象商品群の搬入総重量の測定が１回で済むため、搬入総重量を測定するための装置を簡略化または省略することができ、また作業効率を飛躍的に向上させることができる。
【００１６】
【発明の実施の形態】
本発明は、入力手段と、記憶手段と、演算手段とを備えるリサイクル処理装置に関するものであり、入力手段は、リサイクル対象商品群をなすリサイクル対象商品ごとの品目とその品目別台数とを入力する第１の入力部と、リサイクル対象商品群の重量を測定して得る搬入総重量を入力する第２の入力部と、を有し、記憶手段は、予めリサイクル対象商品ごとに設定する第１品目別標準重量を記憶する第１の記憶部と、演算手段が第１品目別標準重量と品目別台数とを乗じて算出する品目別標準総重量を記憶する第２の記憶部と、演算手段がリサイクル対象商品群の全品目にわたって品目別標準総重量を加算して得る想定搬入総重量を記憶する第３の記憶部と、演算手段が搬入総重量を想定搬入総重量で除して算出する重量補正係数を記憶する第４の記憶部と、演算手段が品目別標準総重量と重量補正係数とを乗じて算出する品目別搬入総重量を記憶する第５の記憶部と、を有し、搬入総重量を混載状態で１回測定するだけで、搬入総重量を品目別に按分することができるため処理工程の効率を飛躍的に向上させることができる。
【００１７】
また搬入総重量の測定も一般に輸送用のトラックで行われているトラックスケールを用いる方法が利用できることから、設備を簡略化することができる。
【００１８】
本発明は、上記のリサイクル処理装置に、リサイクル対象商品群を各品目別に解体し、用途別、材料別等に分類したそれぞれの重量を分子とし品目別標準総重量を分母として回収率を算出する手段を備えたことを特徴とするもので、搬入総重量を容易に品目別に按分できるため最終的に必要なリサイクル率を容易に算出することができる。
【００１９】
本発明は、上記したリサイクル処理装置の第１の記憶部は、演算手段が第１品目別標準重量と重量補正係数とを乗じて算出する第２品目別標準重量を第１品目別標準重量と置換して記憶するというものである。搬入されてくるリサイクル対象商品群のなかで一つの品目を取り上げた場合その重量は機種によって異なっている。
【００２０】
すなわち、搬入されたリサイクル対象商品群の搬入総重量をＷｋ、品目別標準重量をＰｋｊ、各品目の台数をＮｋｊ、重量補正係数をαｋ、とし、搬入されたロットをｋで指定し、品目をｊで指定して得られる（数２）を解いて第２品目別標準重量であるαｋＰｋｊを求める手段と、この第２品目別標準重量を上記したリサイクル処理装置における第１品目別標準重量として用いて品目別搬入重量を推計するものであり、品目別標準重量の最も確からしい値を容易に求めることができる。
【００２１】
【数２】
0004631157.tif 000002
【００２６】
本発明は、リサイクル対象商品群をなすリサイクル対象商品ごとの品目とその品目別台数とを入力するとともに、リサイクル対象商品群の重量を測定して得る搬入総重量を入力する入力手段と、予めリサイクル対象商品ごとに設定する第１品目別標準重量を記憶する記憶手段と、演算手段と、を備えたリサイクル処理装置を用いて、処理拠点に搬入されるリサイクル対象商品群のリサイクル処理を管理するリサイクル処理装置の動作方法であって、演算手段が、第１品目別標準重量と品目別台数とを乗じて品目別標準総重量を算出する工程と、リサイクル対象商品群の全品目にわたって品目別標準総重量を加算して想定搬入総重量を得る工程と、搬入総重量を想定搬入総重量で除して重量補正係数を算出する工程と、品目別標準総重量と重量補正係数とを乗じて品目別搬入総重量を算出する工程と、を実行するもので、搬入されたリサイクル対象商品群の個々の重量を測定しなくても搬入総重量を１回測定するだけで品目別の総重量を推計できるため、作業効率の向上、設備の簡素化を可能とするリサイクル処理装置の動作方法を実現できる。
【００２７】
本発明は、上記のリサイクル処理装置の動作方法に、リサイクル対象商品群を各品目別に解体し、用途別、材料別等に分類したそれぞれの重量を分子とし品目別標準総重量を分母として回収率を算出する手段を備えたことを特徴とするもので、搬入総重量を容易に品目別に按分できるため最終的に必要なリサイクル率を容易に算出することができる。
【００２８】
本発明は、上記したリサイクル処理装置の動作方法は、演算手段が、第１品目別標準重量と重量補正係数とを乗じて算出する第２品目別標準重量を第１品目別標準重量に代えて記憶する工程を実行するものである。搬入されてくるリサイクル対象商品群のなかで一つの品目を取り上げた場合その重量は機種によって異なっている。
【００２９】
以下、本発明の実施の形態について、図１、図２、図３を参照しながら説明する。
【００３０】
（実施の形態１）
図１は本発明の実施の形態１におけるリサイクル処理装置を説明するための図である。最初にリサイクル対象商品群の搬入から分解・破砕・選別に至るステップについて説明する。一般に、消費者から排出されたリサイクル対象商品群は販売店や自治体によって回収される。これらのリサイクル対象商品群はさらに回収業者によって処理拠点に搬入される。しかしながら、この時点では、多品種・多品目のリサイクル対象商品がトラックに混載状態で積載されている。
【００３１】
次にステップ２において、リサイクル対象商品群は混載状態でその搬入総重量が測定される。なお拠点に搬入される以前に、一般のトラックスケールによって搬入総重量測定がなされていてもよい。その場合には、搬入総重量測定を省略することができる。
【００３２】
次にステップ３に示すように、搬入履歴が分かる状態で事前保管を行う。すなわち、事前保管においては保管ロットとその搬入総重量との関係が対応できるようにしておくことが必要である。
【００３３】
次にステップ４に示すように、リサイクル対象商品群を分解し、この時点で回収できる構成部品または材料は回収し、回収できないものは次のステップ５で破砕する。
【００３４】
このようにして破砕された物品を材料別、用途別等に選別し、それぞれについて重量測定を行った後、ステップ７に示すように出荷または保管を行う。
【００３５】
次に上記一連のステップを管理するための本願発明のリサイクル処理装置であるリサイクル処理システム８について、その動作を説明する。
【００３６】
予め設定された品目別標準重量８ａに混載状態で搬入されたリサイクル対象商品群に添付された伝票に記載されている品目別の搬入台数８ｂを乗じて品目別標準総重量８ｃを算出する。これらの品目別標準総重量８ｃを品目全体について集計して想定搬入総重量８ｄを算出する。次に混載状態で測定された搬入総重量８ｅを想定搬入総重量８ｄで除して重量補正係数８ｆを算出する。次に品目別標準総重量８ｃに重量補正係数８ｆを乗じて品目別搬入総重量８ｇが推計される。
【００３７】
ステップ４で分解されたときに回収された部品または材料の重量、ステップ６で選別された材料別・用途別等材料の重量を前記品目別搬入総重量８ｇで除することによって回収率を推計することができる。
【００３８】
（実施の形態２）
図２は本発明の実施の形態２におけるリサイクル処理装置であって、特に品目別標準重量を推計する方法を説明するためのブロック図である。
【００３９】
以下簡単のために、リサイクル対象商品群を廃家電品とし、混載状態で処理拠点に搬入された廃家電品が主要４品目である場合について品目別標準重量を求める方法について説明する。
【００４０】
図２に示すように、搬入時のデータ２１として計測された搬入総重量と伝票に記載された品目別台数がある。なお、ｊは品目数、ｋは搬入次を示している。対象が主要４品種であると、搬入時データ２１として少なくとも４回のデータが必要である。これらのデータを２３で示す（数２）に代入すれば、演算手段は（数３）の連立方程式を得る。ｊに関しては、例えばｊ＝１は冷蔵庫、ｊ＝２は洗濯機、ｊ＝３はエアコン、ｊ＝４はＴＶ受像機に相当すると考えることができる。
【００４１】
【数３】
0004631157.tif 000003
【００４２】
（数３）の式（１）から式（４）において、重量補正係数αと品目別標準重量Ｐの積α・Ｐは品目ごとに一定と考えらるため、（数４）の式（５）から式（８）に示す関係が成立する。なお積Ｇ＝α・Ｐを第２品目別標準重量と呼ぶことにする。
【００４３】
【数４】
0004631157.tif 000004
【００４４】
（数４）の式（５）から式（８）を用いて（数３）を書き換えることにより、（数５）が得られる。
【００４５】
【数５】
0004631157.tif 000005
【００４６】
Ｗ１からＷ４は、搬入時に計測した混載状態での搬入総重量、Ｎ１１からＮ４４までは搬入時に添付された書類に記載されている品目別の台数である。この連立方程式を解くことによって第２品目別標準重量であるＧ１からＧ４が得られる。このＧ１からＧ４を実施の形態１におけるリサイクル処理管理システムにおける品目別標準重量として使用することにより、混載状態で搬入された廃家電品の総重量を品目別想定総重量に按分することができる。
【００４７】
また（数５）では４品目を仮定して式を立てているが、品目数が増えると演算手段が処理する式もその分増加することになる。また新しく式を追加し、式（９）を削除し、上記と同様にして演算手段が連立方程式を解くことにより新たにＧ１’からＧ４’が得られる。
【００４８】
このようにして得られた搬入の次数に対応した第２品目別標準重量をデータとして、週単位、月単位、四半期単位、６ヶ月単位、年単位などで演算手段が統計処理することによって、適切な品目別標準重量を設定することが可能となり、さらには年月日に対する標準重量を解析することにより、リサイクル処理工場の動向または推移を把握することができる。
【００４９】
（実施の形態３）
図３は本発明の実施の形態３におけるリサイクル処理装置の動作方法を説明するためのブロック図である。
【００５０】
図３に示すように、消費者３０から排出された廃家電品は販売店３１または自治体３２を通して回収業者に引き渡されて、処理拠点すなわち処理装置３３へ搬入される。
【００５１】
最初に処理装置３３における処理工程について説明する。廃家電品は搬入工程３４で示すように、混載状態で処理装置３３へ搬入される。次に搬入総重量測定工程３６においてトラックに積載された混載状態で搬入総重量が測定される。なお、トラックに積載された貨物について一般に行われているトラックスケールによる重量測定がすでに行われている場合には、もちろん搬入総重量測定３６は必要ではない。
【００５２】
次に、分解工程３７で品目別に分解され、そのとき回収された部品または材料は重量測定された後に保管される。
【００５３】
分解工程３７で部品または材料が回収された残り部分は破砕工程３８へ送られ、そこで粉砕される。粉砕された材料は選別工程３９で用途別・材料別に選別され、さらに重量測定工程４０で用途別・材料別等で重量測定がなされる。
【００５４】
次に本発明のリサイクル処理装置を含むリサイクル処理管理システム３５について説明する。なお図３においては省略したが、リサイクル処理管理システム３５は入力手段である入出力部、演算手段である演算部、記憶手段である記憶部および出力部等から構成されている。
【００５５】
まず搬入された廃家電品の品目別台数３５ｂ、搬入された廃家電品の搬入総重量３５ｃ等が入力手段を介してリサイクル処理管理システム３５へ入力される。第１の記憶部には複数の領域が設けられており、その一つに実施の形態２において算出された品目別標準重量、第２品目別標準重量または第３品目別標準重量（以下代表して品目別標準重量３５ａという）が格納されている。演算部において、品目別標準重量３５ａに品目別台数３５ｂを乗じて品目別標準総重量３５ｄが算出され、第２の記憶部に格納される。
【００５６】
次に品目別標準総重量３５ｄを集計して想定搬入総重量３５ｅを算出し、第３の記憶部に格納する。
【００５７】
次に搬入総重量３５ｃを想定搬入総重量３５ｅで除して重量補正係数３５ｆを算出する。次に品目別標準総重量３５ｄに重量補正係数３５ｆを乗じて品目別搬入重量３５ｇを推計し、第５の記憶部に格納する。
【００５８】
一方、分解工程３７において分解され回収された部品、材料等はその重量が測定されて入力手段を介してリサイクル処理管理システム３５の第６の記憶部へ格納され、さらに破砕工程３８、選別工程３９を経た材料は重量測定工程４０でその重量が測定されて入力手段を介してリサイクル処理管理システム３５の第６の記憶部へ格納される。これらの用途別・材料別の回収物の重量はそれぞれ品目ごとに集計される。この品目別回収物の重量を分子とし、推計された品目別搬入重量を分子として計算することによってリサイクル率３５ｈを求めることができる。
【００５９】
またリサイクル処理管理システム３５を構成する記憶部における品目別標準総重量を格納する第１の記憶領域は、特定非公開の暗証番号を用いてのみ書き換え可能とすることにより、システムの安全性を高めることができる。
【００６０】
以上説明したリサイクル処理装置の動作方法では、本発明のリサイクル処理装置を使用することにより、混載状態で測定した搬入総重量を精度よく品目別に按分することができ、またその品目別搬入重量を用いて回収率を計算することができるため、処理拠点での作業効率を向上させることができる。
【００６１】
また品目別標準総重量の変動から、各拠点における搬入廃家電品の機種変動、処理能力と稼働率等を把握することができる。
【００６２】
【発明の効果】
以上説明したように、本発明のリサイクル処理装置は、品目別標準重量を予め設定しておき、その品目別標準重量に搬入された品目別台数を乗じた後積算して得た想定搬入総重量と、実際に混載状態で搬入された廃家電品の搬入総重量とから重量補正係数を求め、品目別標準重量と品目別台数と重量補正係数の積をもって搬入された品目別搬入重量とするものであり、重量測定を搬入時に混載状態で行えばよいため品目別重量管理に必要な作業効率を大幅に向上させることができるものである。
【図面の簡単な説明】
【図１】  本発明の実施の形態１におけるリサイクル処理装置を説明する図
【図２】  本発明の実施の形態２におけるリサイクル処理装置を説明する図
【図３】  本発明の実施の形態３におけるリサイクル処理装置を示す図
【図４】  従来のリサイクル処理管理システムを説明する図
【符号の説明】
８ａ  品目別標準重量
８ｂ  搬入台数（各品目の個数）
８ｃ  品目別標準総重量
８ｄ  想定搬入総重量
８ｆ  重量補正係数
８ｇ  品目別搬入重
【図１】
0004631157.tif 000006
【図２】
0004631157.tif 000007
【図３】
0004631157.tif 000008
【図４】
0004631157.tif 000009